(57)【要約】【課題】  把持がし易く作業性の良好な釣用プライヤの提供を目的とする。【解決手段】  使用者に把持される把持部と、該把持部に枢軸部を介して取付けられた挟持部とを備え、前記枢軸部回りの前記把持部の接近・離間操作に基づいて、前記挟持部が接近・離間操作される釣用プライヤであって、前記把持部は使用者の親指側で支持されて所定の長さを有する一方把持体と、親指以外の他の指で支持される他方把持体とを備え、前記挟持部は前記一方把持体に従動する一方挟持体と、前記他方把持体に従動する他方把持体とを備え、前記他方把持体は、他の指のうち少なくとも一本の指で支持されることを可能とし、しかも前記一方把持体に比べて枢軸部からの距離が短く形成されている構成。【選択図】  図３
2014045661.tif 000002
【特許請求の範囲】
【請求項１】
使用者に把持される把持部と、該把持部に枢軸部を介して取付けられた挟持部とを備え、前記枢軸部回りの前記把持部の接近・離間操作に基づいて、前記挟持部が接近・離間操作される釣用プライヤであって、
前記把持部は使用者の親指側で支持されて所定の長さを有する一方把持体と、親指以外の他の指で支持される他方把持体とを備え、前記挟持部は前記一方把持体に従動する一方挟持体と、前記他方把持体に従動する他方把持体とを備え、
前記他方把持体は、他の指のうち少なくとも一本の指で支持されることを可能とし、しかも前記一方把持体に比べて枢軸部からの距離が短く形成されていることを特徴とする釣用プライヤ。
【請求項２】
前記他方把持体の長さは、一方把持体の長さに比べて半分よりも短く設定されている請求項１記載の釣用プライヤ。
【請求項３】
前記他方把持体の長手方向に、前記他の指のうち主として人差指および中指を掛ける二つの把持凹部が隣り合うよう形成されている請求項１または請求項２記載の釣用プライヤ。
【請求項４】
前記他方把持体において長手方向に直交する方向の厚みは、長手方向で一方把持体の厚みに比べて小さく、しかも挟持部側の端部で一方把持体の厚みに略一致され、挟持部における把持部側の厚みが、把持部における挟持部側の端部の厚みと略一致したまま、挟持部が延長されている請求項１ないし請求項３の何れか１項に記載の釣用プライヤ。
【請求項５】
枢軸部は、挟持部の厚み範囲内にあるよう設定され、挟持部の厚みは把持部の厚み範囲内にあるよう設定されている請求項４記載の釣用プライヤ。
【発明の詳細な説明】
【技術分野】
【０００１】
本発明は、魚からフックを外したり、スプリットリングを押し開いたりする作業をするための釣用プライヤに関する。
【背景技術】
【０００２】
この種の釣用プライヤとして、下記特許文献１に記載の釣用プライヤが提案されている。この釣用プライヤは、使用者が把持する把持部と、把持部に枢軸部を介して取付けられて、魚からフックを外したり、スプリットリングを押し開いたりする作業を行う挟持部とを備えている。把持部は使用者の親指側で支持される一方把持体と、親指以外の四本の指で支持される他方把持体とを備える。挟持部は一方把持体に従動する一方挟持体と、他方把持体に従動する他方把持体とを備えている。そして、一方把持体および他方把持体をそれぞれの指で把持して握り、一方把持体および他方把持体どうしを接近（あるいは離間）させることで、一方挟持体および他方挟持体どうしを接近（あるいは離間）させて、作業を行うことができる。
【先行技術文献】
【特許文献】
【０００３】
【特許文献１】特開２００１−３４６４９１号公報
【発明の概要】
【発明が解決しようとする課題】
【０００４】
上記従来の釣用プライヤでは、他方把持体は親指以外の四本の指で支持されるよう構成されている。しかしながら、釣用プライヤにおいて四本の指の全てを用いなければならないほど、大きな力を必要とする作業は少ない。
【０００５】
したがって、実際の作業時には、他方把持体は、必ずしも四本の指全てを用いて支持されず、そのうちの幾本かの指は、他方把持体に添えている程度に過ぎない場合が多い。そうなると、他方把持体は必要以上に長く形成された状態にあって、他方把持体が必要以上に長い分だけ、把持がしにくく、作業の邪魔になる。
【０００６】
そこで、本発明は上記課題に鑑み、把持がし易く作業性の良好な釣用プライヤの提供を目的とする。
【課題を解決するための手段】
【０００７】
本発明は、使用者に把持される把持部と、該把持部に枢軸部を介して取付けられた挟持部とを備え、前記枢軸部回りの前記把持部の接近・離間操作に基づいて、前記挟持部が接近・離間操作される釣用プライヤであって、前記把持部は使用者の親指側で支持されて所定の長さを有する一方把持体と、親指以外の他の指で支持される他方把持体とを備え、前記挟持部は前記一方把持体に従動する一方挟持体と、前記他方把持体に従動する他方把持体とを備え、前記他方把持体は、他の指のうち少なくとも一本の指で支持されることを可能とし、しかも前記一方把持体に比べて枢軸部からの距離が短く形成されていることを特徴としている。
【０００８】
上記構成において、一方把持体を親指側で支持し、他方把持体を他の指で支持して把持部を把持し、一方把持体および他方把持体どうしを枢軸部回りに回動して接近させるよう操作することで、一方挟持体および他方挟持体どうしが枢軸部回りに回動されて接近して、挟持部で所定の釣具を把持させられ、他方把持部が実質的に必要な長さに形成されていることで把持部の把持がしやすく、釣用プライヤによる作業性が良好になる。
【０００９】
本発明の釣用プライヤでは、前記他方把持体の長さは、一方把持体の長さに比べて半分よりも短く設定した構成を採用することができる。このように、他方把持体の長さを、一方把持体の長さに比べて半分よりも短くした分だけコンパクト化できる。
【００１０】
本発明の釣用プライヤでは、前記他方把持体の長手方向に、前記他の指のうち主として人差指および中指を掛ける二つの把持凹部が隣り合うよう形成された構成を採用することができる。
【００１１】
この構成では、他方把持体の把持凹部に人差指および中指をそれぞれ掛けて、他方把持体を支持することで把持部を把持する。
【００１２】
本発明の釣用プライヤでは、前記他方把持体において長手方向に直交する方向の厚みは、長手方向で一方把持体の厚みに比べて小さく、しかも挟持部側の端部で一方把持体の厚みに略一致され、挟持部における把持部側の厚みが、把持部における挟持部側の端部の厚みと略一致したまま、挟持部が延長された構成を採用することができる。
【００１３】
上記構成によれば、把持部の厚みが厚い分だけ把持部を把持し易くさせることが可能であり、挟持部に挟持力を付与し易くすることが可能である。
【００１４】
本発明の釣用プライヤでは、枢軸部は、挟持部の厚み範囲内にあるよう設定され、挟持部の厚みは把持部の厚み範囲内にあるよう設定された構成を採用することができる。
【００１５】
上記構成によれば、把持部に対して厚み方向に突出する部分がないから、釣用プライヤを使用しての作業が円滑に行える。
【発明の効果】
【００１６】
本発明の釣用プライヤでは、他方把持部が実質的に必要な長さに形成されていることで把持部の把持がしやすく、釣用プライヤによる作業性が良好になる。
【図面の簡単な説明】
【００１７】
【図１】本発明の一実施形態を表す釣用プライヤの一方からの側面図である。
【図２】同じく把持部および挟持部の操作状態を表す一方からの側面図である。
【図３】同じく斜視図である。
【図４】同じく底面図である。
【図５】同じく分解斜視図である。
【図６】同じくグリップ心材の単体斜視図である。
【図７】同じくグリップ心材の他方側からの側面図である。
【図８】同じく第一カバー体の一方側からの側面図である。
【図９】同じく第二カバー体の他方側からの側面図である。
【図１０】同じく他方把持体の斜視図である。
【図１１】同じく他方把持体の一方側からの側面図である。
【図１２】同じく一方挟持体の他方側からの斜視図である。
【図１３】同じく他方挟持体の一方側からの斜視図である。
【図１４】同じく図２におけるＡ−Ａ線矢視図である。
【図１５】同じく図２におけるＢ−Ｂ線矢視図である。
【発明を実施するための形態】
【００１８】
〔釣用プライヤの全体概略構成〕
以下、図１ないし図１５に基づいて、本発明の一実施形態に係る釣用プライヤ１を説明する。図１ないし図５に示すように、釣用プライヤ１は、使用者に把持される一対の把持体を有する把持部２と、一対の挟持体を有する挟持部３とを備えている。また、釣用プライヤ１は、把持体の接近・離間操作に基づいて、挟持体が接近・離間操作される中心となる枢軸部４を備えている。さらに、釣用プライヤ１は、把持体どうしを離間する方向に付勢するバネ体５（特に図５参照）を備えている。
【００１９】
〔把持部の構成（一方把持体の構成）〕
把持部２は使用者の親指側で支持されて所定の長さを有する一方把持体６と、親指以外の他の指で支持される他方把持体７とを備えている。図２および図５に示すように、一方把持体６は、グリップ心材８と、グリップ心材８を覆うグリップカバー９とを備える。
【００２０】
グリップ心材８は金属製であり、図２において、上方へ向けてわずかに湾曲した状態で前後方向（図２においては左右方向）に延長されている。グリップ心材８の後端部には、斜め下方へ向けて折曲げられた折曲部１０を備える。グリップ心材８の前端部には、図５ないし図７に示すように、裏面８ａ側から表面８ｂ側へ向けて窪む心材側挿入凹部１１が形成されている。心材側挿入凹部１１は、後に詳述する挟持部３の一方挟持体１２の一方基部１３が重ねて取付けられる部分である。
【００２１】
図６および図７に示すように、グリップ心材８は板状に形成されており、四種類の孔が形成されている。四種類の孔のうちの一種類の孔は、後に詳述するグリップカバー９の第一カバー体１４および第二カバー体１５どうしを固定するための固定孔１６である。この固定孔１６は、グリップ心材８の長手方向に離間して三箇所に形成されている。
【００２２】
四種類の孔のうちの一種類の孔は、グリップカバー９の第一カバー体１４および第二カバー体１５によってグリップ心材８が保持されるための保持孔１７である。この保持孔１７は、グリップ心材８の長手方向に離間して二箇所に形成されている。
【００２３】
四種類の孔のうちの一種類の孔は、後に詳述する挟持部３の一方挟持体１２を連結するための連結孔１８である。この連結孔１８は、心材側挿入凹部１１の後端部側に形成されている。
【００２４】
四種類の孔のうちの一種類の孔は、後に詳述する枢軸部４の第一枢軸体２０が挿入される心材用回動中心孔２１である。この心材用回動中心孔２１は、グリップ心材８の心材側挿入凹部１１の前端部に形成されている。
【００２５】
さらに、グリップ心材８における心材側挿入凹部１１の裏面において、心材用回動中心孔２１の周囲の一部が切り欠かれて心材側導出凹部２２が形成されている。この心材側導出凹部２２は、後に詳述するバネ体５の脚部２３を導出するための凹部である。心材側導出凹部２２には、脚部２３を係止させる心材側係止面２５が形成されている。
【００２６】
〔把持部の構成（グリップカバーの構成）〕
図８および図９に示すように、グリップカバー９は二つ割りの構成であり、前後（表側および裏側）で略対称形状の第一カバー体１４および第二カバー体１５から構成されている。これら第一カバー体１４および第二カバー体１５は、グリップ心材８の前端部を除く領域を覆うよう、互いに左右方向で組み付けられる。なお、グリップカバー９は硬質の合成樹脂から形成されている。
【００２７】
第一カバー体１４および第二カバー体１５には、それぞれグリップ心材８の板厚みの略半分が挿入（嵌合）される第一装着溝２６および第二装着溝２７が、それぞれ形成されている。そして、第一装着溝２６および第二装着溝２７は、グリップ心材８の側面視形状と相対形状に形成されている。第一装着溝２６および第二装着溝２７の前端部側はそれぞれ開放され、後端部側はそれぞれ閉じられている。
【００２８】
第一カバー体１４および第二カバー体１５の分割面（平坦面）には、該分割面どうしを当接した状態で嵌合し合う嵌合溝２８と嵌合突起２９とが振り分けて形成されている。具体的には、第一カバー体１４が嵌合溝２８を備え、嵌合溝２８は、分割面のうち上部に、長手方向に離間して複数個所に配置されるとともに、分割面のうち下部には、長手方向に長い嵌合溝２８が一個だけ形成されている。
【００２９】
第二カバー体１５が嵌合突起２９を備え、嵌合突起２９は、分割面の上部において嵌合溝２８と対向する位置に、長手方向に離間して複数個所に配置されるとともに、分割面の下部において嵌合溝２８と対向する位置にも配置されている。
【００３０】
第一カバー体１４の第一装着溝２６、および第二カバー体１５の第二装着溝２７の底面には、それぞれグリップ心材８の固定孔１６に対して側方から嵌合する固定突起３０が、底面から突出するよう形成されている。第一カバー体１４および第二カバー体１５の固定突起３０は、それぞれ、グリップ心材８の厚みの略半分の高さに設定されている。これら固定突起３０は筒状に形成されており、固定ピン３１（図５参照）が挿入可能に構成されている。
【００３１】
第一カバー体１４の第一装着溝２６、および第二カバー体１５の第二装着溝２７の底面には、それぞれグリップ心材８の保持孔１７に挿通（嵌合）される挿通突起３２が、底面から突出するよう形成されている。第一カバー体１４および第二カバー体１５の挿通突起３２は、それぞれ、グリップ心材８の厚みの略半分の高さに比べて低い高さに設定されている。
【００３２】
図１ないし図３に示すように、このような第一カバー体１４と第二カバー体１５の組み合わせからなるグリップカバー９は、上部辺の長手方向のほとんどの領域が直線状に形成され、後端部は斜め下方へ向けて傾斜されている。主としてこのような直線状の領域が、釣用プライヤ１の使用者の親指側で支持される。
【００３３】
グリップカバー９の下部辺の長手方向前端部側に、上方へ向けて窪む凹湾曲領域３３が形成されている。凹湾曲領域３３の後端部には下方へ向けて尖端状に膨出する膨出部３４が形成されている。
【００３４】
〔把持部の構成（他方把持体の構成）〕
図１０および図１１に示すように、他方把持体７は、一体物として形成されている。この他方把持体７は、硬質の合成樹脂から形成されている。また他方把持体７は、一方把持体６に比べて長手方向に充分短く形成されている。具体的には、他方把持体７は、一方把持体６に比べて長手方向の長さが半分より短く設定されている。また、他方把持体７は、グリップカバー９に比べて左右方向の厚みを薄く形成されている（図４参照）。
【００３５】
他方把持体７の前側端部には、表面７ａ側から裏面７ｂ側へ向けて窪む把持体側挿入凹部３５が形成されている。把持体側挿入凹部３５は、後に詳述する挟持部３の他方挟持体３６の他方基部３７が重ねて取付けられる部分である。
【００３６】
他方把持体７の把持体側挿入凹部３５には、二種類の孔が形成されている。二種類の孔のうちの一種類の孔は、後に詳述する挟持部３の他方挟持体３６を連結するための連結孔１９である。この連結孔１８は、把持体側挿入凹部３５の後端部側に形成されている。
【００３７】
二種類の孔のうちの一種類の孔は、後に詳述する枢軸部４の第一枢軸体２０が挿入される他方把持体用回動中心孔３８である。この他方把持体用回動中心孔３８は、把持体側挿入凹部３５の前端部側に形成されている。他方把持体用回動中心孔３８の周囲の一部が切り欠かれて他方把持体側導出凹部３９が形成されている。この他方把持体側導出凹部３９は、後に詳述するバネ体５の脚部２４を導出するための凹部である。他方把持体側導出凹部３９には、脚部２４を係止させる他方把持体側係止面４０が形成されている。
【００３８】
他方把持体７の上部辺の長手方向後端部側に、上方へ向けて凸となる凸湾曲領域４１が形成されている。他方把持体７の下部辺の長手方向途中部分に、上方へ向けて窪む指掛用凹部４２が形成されている。指掛用凹部４２は前後方向に隣り合うよう配置されている。この指掛用凹部４２には、主として使用者の人差指、中指が掛けられる。
【００３９】
図４に示すように、他方把持体７において長手方向に直交する方向の、前後方向の厚みは、長手方向で一方把持体６の厚みに比べて小さく、しかも挟持部３側の端部で一方把持体６の厚みに略一致されている。
【００４０】
〔挟持部の概略構成〕
図１ないし図５に示すように、挟持部３は、一方挟持体１２および他方挟持体３６を備える。一方挟持体１２および他方挟持体３６は、金属製であって、互いに略対称形状である。挟持部３における把持部２側の厚みは、把持部２における挟持部３側の端部の厚みと略一致されたままで、前方に延長されている。また、挟持部３の厚みは、把持部２の厚み範囲内にあるよう設定されている（特に、図４参照）。
【００４１】
〔挟持部（一方挟持体の構成）〕
図５、図１２に示すように、一方挟持体１２は、長手方向途中部分に、他方挟持体３６と交差（嵌合）する一方交差凹部４３が形成されている。一方交差凹部４３は、裏面１２ａ側から表面１２ｂ側に向けて窪むことで形成されている。一方交差凹部４３には、後に詳述する枢軸部４の第二枢軸体４４が挿入される一方回動中心孔４５を備えている。一方交差凹部４３の後方側に前記一方基部１３が延長して形成されている。一方基部１３の後側部に、一方有孔部４６が形成されている。一方有孔部４６の後側端部には、グリップ心材８の連結孔１８に対応する（連通する）一方取付孔４７が形成されている。
【００４２】
一方交差凹部４３の前側部には、一方挟持杆４８が延長して形成されている。一方挟持杆４８は先端部ほど小断面に形成されている。具体的には、一方挟持杆４８の断面は矩形であり、側面に波形状の一方凹凸部４９が形成されている。そして一方回動中心孔４５から一方取付孔４７までの距離に比べて、一方回動中心孔４５から一方挟持杆４８の先端部までの距離のほうが長く設定されている。
【００４３】
一方挟持体１２において、一方基部１３側と一方挟持杆４８側とは、一方交差凹部４３に対して同一直線上にはなく、一方基部１３側と一方挟持杆４８側とは一方交差凹部４３を介して上下方向に位置ずれして配置されている。具体的には、一方基部１３側が上位置であり、一方挟持杆４８側が下位置に配置されている。
【００４４】
〔挟持部（他方挟持体の構成）〕
図５および図１３に示すように、他方挟持体３６は、長手方向途中部分に、一方挟持体１２と交差する他方交差凹部５０が形成されている。他方交差凹部５０は、表面３６ａ側から裏面３６ｂ側に向けて窪むことで形成されている。他方交差凹部５０には、後に詳述する枢軸部４の第二枢軸体４４が挿入される他方回動中心孔５１を備えている。他方交差凹部５０の後方側に前記他方基部３７が延長して形成されている。他方基部３７の後側部に、他方有孔部５２が形成されている。他方有孔部５２の後側端部には、他方把持体７の連結孔１９に対応する（連通する）他方取付孔５３が形成されている。
【００４５】
他方交差凹部５０の前側部には、他方挟持杆５４が延長して形成されている。他方挟持杆５４は先端部ほど小断面に形成されている。具体的には、他方挟持杆５４の断面は矩形であり、側面に波形状の他方凹凸部５５が形成されている。そして他方回動中心孔５１から他方取付孔５３までの距離に比べて、他方回動中心孔５１から他方挟持杆５４の先端部までの距離のほうが長く設定されている。
【００４６】
他方挟持体３６において、他方基部３７側と他方挟持杆５４側とは、他方交差凹部５０に対して直線上にはなく、他方基部３７側と他方挟持杆５４側とは他方交差凹部５０を介して上下方向に位置ずれして配置されている。具体的には、他方基部３７側が下位置であり、他方挟持杆５４側が上位置に配置されている。
【００４７】
なお、一方挟持体１２および他方挟持体３６では、一方交差凹部４３および他方交差凹部５０どうしが嵌合して、Ｘ字状に交差するよう構成されている。また、挟持部３において、一方挟持体１２および他方挟持体３６は、一方交差凹部４３および他方交差凹部５０を、一方回動中心孔４５および他方回動中心孔５１を左右方向で一致させるよう同心にして嵌合した状態で、一方回動中心孔４５および他方回動中心孔５１を中心として所定の範囲内で制限されて回動可能に構成されている。具体的には、一方挟持体１２および他方挟持体３６は、一方交差凹部４３および他方交差凹部５０の当接壁５６，５７どうしが当接する範囲内で回動可能である。
【００４８】
〔枢軸部の構成〕
図５および図１４に示すように、枢軸部４は、第一枢軸体２０および第二枢軸体４４を備えている。第一枢軸体２０は、第一枢軸ナット５８および第一枢軸ナット５８に軸方向で螺合する第一ねじ５９を備える。第二枢軸体４４は第二枢軸ナット６０および第二枢軸ナット６０に螺合する第二ねじ６１を備える。枢軸部４は、挟持部３の厚み範囲内にあるよう設定されている。
【００４９】
第一枢軸体２０の第一枢軸ナット５８は、他方把持体７の他方把持体用回動中心孔３８、グリップ心材８の心材用回動中心孔２１に、側方から挿通されている。第一ねじ５９は、第一枢軸ナット５８に反対側の側方から螺合される。また、第一枢軸ナット５８には、バネ体５が外嵌されている。具体的には、バネ体５はキックバネであり、スパイラル部６２が第一枢軸ナット５８に外嵌され、一方の脚部２３がグリップ心材８の前側部、すなわち心材側係止面２５に当接されている。また他方の脚部２４が、他方把持体７の前側部、すなわち他方把持体側係止面４０に当接している。このバネ体５によって、グリップ心材８（一方把持体６）および他方把持体７は、第一枢軸体２０回りに、互いに離間する方向に付勢されている。
【００５０】
第二枢軸体４４の第二枢軸ナット６０は、他方挟持体３６の他方回動中心孔５１に、側方から挿通されている。第二ねじ６１は、第一枢軸ナット５８に反対側の側方から螺合されている。第二枢軸体４４は、第一枢軸体２０に比べて前方（挟持部３の先端側）に配置されている。
【００５１】
〔挟持力増大機構〕
第一枢軸体２０および第二枢軸体４４を設けて、第一枢軸体２０回りに把持部２が回動可能に支持されている。第二枢軸体４４回りに挟持部３が回動可能に支持されている。第一枢軸体２０および第二枢軸体４４が前後方向に離間して配置されている。そして、一方挟持体１２および他方挟持体３６では、一方交差凹部４３および他方交差凹部５０どうしが嵌合して、Ｘ字状に交差するよう構成されている。この構成により、把持部２において一方把持体６と他方把持体７を接近させる力が、挟持部３における一方挟持体１２と他方挟持体３６とで挟持する力として増大される機構（倍力機構）となっている。
【００５２】
〔グリップ心材および一方挟持体の連結構造〕
図５に示すように、グリップ心材８および一方挟持体１２は、一方枢軸体６３によって連結されている。一方枢軸体６３は、一方枢軸ナット６４および一方枢軸ナット６４に螺合する一方ねじ６５を備えている。一方枢軸ナット６４は、グリップ心材８の連結孔１８と、一方挟持体１２の一方基部１３の一方取付孔４７に側方から挿入され、一方ねじ６５は反対側の側方から一方枢軸ナット６４に螺合されている。
【００５３】
〔他方把持体および他方挟持体の連結構造〕
図５および図１５に示すように、他方把持体７および他方挟持体３６は、他方枢軸体６６によって連結されている。他方枢軸体６６は、他方枢軸ナット６７および他方枢軸ナット６７に螺合する他方ねじ６８を備えている。他方枢軸ナット６７は、他方把持体７の連結孔１９と、他方挟持体３６の他方基部３７の他方取付孔５３に側方から挿入され、他方ねじ６８は反対側の側方から他方枢軸ナット６７に螺合されている。
【００５４】
〔グリップ心材およびカバー体の連結構造〕
図５および図１５に示すように、一方把持体６は、第一カバー体１４の第一装着溝２６、および第二カバー体１５の第二装着溝２７をグリップ心材８に側方から嵌合するようにして、嵌合溝２８と嵌合突起２９とが嵌合させられる。また、第一カバー体１４および第二カバー体１５の固定突起３０が、グリップ心材８の固定孔１６に嵌合させられる。さらに、第一カバー体１４および第二カバー体１５の挿通突起３２がグリップ心材８の保持孔１７に嵌合させられる。固定突起３０に固定ピン３１が嵌合される。これにより、グリップ心材８が第一カバー体１４および第二カバー体１５で覆われた状態が保持され、一方把持体６が構成される。
【００５５】
上記構成の釣用プライヤ１では、一方把持体６および他方把持体７を第一枢軸体２０回りに回動させて一方把持体６および他方把持体７を接近させた状態において、他方把持体７の凸湾曲領域４１が一方把持体６の凹湾曲領域３３にわずかな隙間δ１をもって入り込む（図２の仮想線の状態）。また、一方挟持体１２および他方挟持体３６における、第二枢軸体４４側の噛み合わせ面１２ｃ，３６ｃの間には、わずかな隙間δ２が生じるよう構成されている。なお、一方凹凸部４９および他方凹凸部５５は噛み合うよう構成されている。
【００５６】
上記構成の釣用プライヤ１では、バネ体５の弾性復元力によって、一方把持体６および他方把持体７は、第一枢軸体２０回りに開いて、常時的に互いに離間する方向に付勢されている。したがって、本実施形態の釣用プライヤ１の挟持部３によって、釣用タックルを挟持して作業を行う場合では、使用者は一方把持体６を親指側で支持し、他方把持体７を人差指および中指で支持して把持部２を把持する。
【００５７】
グリップカバー９の下部辺の長手方向前端部側に、上方へ向けて窪む凹湾曲領域３３が形成されて、凹湾曲領域３３の後端部には下方へ向けて尖端状に膨出する膨出部３４が形成されている。釣用プライヤ１の使用者は、人差指および中指を他方把持体７に掛けて、一方把持体６および他方把持体７を近付ける場合に、膨出部３４の存在によって、他の指を一方把持体６および他方把持体７の間に挟みこむのを防止でき、釣用プライヤ１を安全に使用することができる。
【００５８】
そして使用者は、バネ体５の弾性に抗して一方把持体６および他方把持体７を第一枢軸体２０回りに回動させ、一方把持体６および他方把持体７を互いに（相対的に）近付ける。そうすると、一方把持体６および他方把持体７の第一枢軸体２０回りの回動動作に従動して、一方挟持体１２および他方挟持体３６が第二枢軸体４４回りに回動し、一方挟持体１２および他方挟持体３６の挟持面どうしが互いに（相対的に）近付き、例えば、一方凹凸部４９および他方凹凸部５５によって、釣用タックルを挟持することができる。あるいは、第二枢軸体４４側の噛み合わせ面１２ｃ，３６ｃの間の隙間δ２を用いて、釣用タックルを挟持し、これを必要に応じて変形させたりする等の作業を行うことができる。
【００５９】
そして、一方把持体６および他方把持体７を第一枢軸体２０回りに回動させて一方把持体６および他方把持体７を接近させた状態において、他方把持体７の凸湾曲領域４１が一方把持体６の凹湾曲領域３３にわずかな隙間（遊び量）δ１をもって入り込むから、この隙間δ１を埋めるように、一方把持体６および他方把持体７をさらに接近させると、その分だけ大きな力が挟持部３に働くから、いっそう確実に釣用タックルを挟持することができる。
【００６０】
ところで、本実施形態における釣用プライヤ１では、他方把持体７は、一方把持体６に比べて長手方向に充分短く形成されている。具体的には、他方把持体７は、一方把持体６に比べて長手方向の長さが半分より短く設定されている。しかしながら、他方把持体７は指掛用凹部４２を有して、人差指および中指をそれぞれ前後して支持するようにして、把持部２を把持する。換言すれば、釣用プライヤ１を用いる使用者は、他方把持体７では実際には四本の指のうち、主として人差指および中指を用いて、把持部２を把持する。
【００６１】
したがって、他方把持体７は、一方把持体６に比べて長手方向に充分短く形成されていても、釣用プライヤ１の使用に際して過不足がない。なお、他方把持体７の長さを、一方把持体６に比べて短く設定したことにより、その分だけ釣用プライヤ１が軽量化され、コンパクト化される。
【００６２】
また、挟持部３における把持部２側の厚み（例えば１２ｍｍに設定）は、把持部２における挟持部３側の端部の厚みと略一致されたままで、前方に延長されている。また、挟持部３の厚みは、把持部２の厚み範囲内にあるよう設定されている。このため、釣用プライヤ１の厚みが大きくなるのを抑えられており、したがってこの構成においても、釣用プライヤ１は軽量化され、コンパクト化されている。また、把持部２に対して厚み方向に突出する部分を備えていないから、狭隘部等での作業性に優れる。
【００６３】
挟持部３において釣用タックル１を強く把持しようとする場合では、把持部２に働かせる力（一方把持体６および他方把持体７を把持する力）を大きくする必要がある。ところで、本実施形態における釣用プライヤ１では、他方把持体７は、一方把持体６に比べて長手方向に充分短く形成されている。このように他方把持体７を一方把持体６に比べて長手方向に短く形成した場合では、その分だけ他方把持体７に掛けられる指の本数が少なくなるから、把持部２に働かせる力を大きくすることがむずかしい。
【００６４】
しかしながら、本実施形態の釣用プライヤ１では、第一枢軸体２０および第二枢軸体４４を設けて、挟持力増大機構（倍力機構）としている。このため、把持部２に働かせる力を大きくすることがむずかしい状態にあっても、挟持部３に必要な挟持力を付与することができる。しかも、挟持力増大機構によって挟持部３に必要な挟持力を付与することができる。
【００６５】
このため、挟持部３（一方挟持体１２および他方挟持体３６）における第二枢軸体４４からの突出量である長手方向長さを大きくすることができる。そうなると、使用者の手元である把持部２から挟持部３の先端までの長さを長くすることができる。このため、釣用タックルを挟持して行う作業をし易くできる。また、他方把持体７に比べて一方把持体６の厚みが厚い分だけ、把持部２に力をかけ易くなるから、釣用タックルを挟持して行う作業がし易い。
【００６６】
本実施形態の釣用プライヤ１では、挟持力増大機構によって、具体的には、把持部３を把持する力、すなわち入力に対して、挟持部３における基部（第二枢軸体４４側の噛み合わせ面１２ｃ，３６ｃ）の挟持力、すなわち出力は入力の約６倍であり、挟持部３における先端部の挟持力、すなわち出力は入力の約１．２倍である。換言すれば、挟持部３における基部から先端部までは、挟持力が６倍から１．２倍に減少する距離に相当する距離に設定されている。
【００６７】
なお、具体的には、本実施形態の釣用プライヤ１では、その長手方向全長が２７０乃至２８０ｍｍ程度に設定され、第二枢軸体４４の中心から挟持部３の先端部までの距離は１００ｍｍ乃至１０５ｍｍに設定されている。
【００６８】
また、一方挟持体１２および他方挟持体３６は、一方交差凹部４３および他方交差凹部５０の当接壁５６，５７どうしが当接する範囲内で、一方挟持体１２および他方挟持体３６は回動可能であるが、具体的には、当接壁５６，５７は、一方挟持体１２および他方挟持体３６の先端部の間が２０ｍｍ程度まで開くことができるよう設定されている。
【００６９】
本発明は、上記実施形態に限定されず、本発明の主旨を逸脱しない範囲で種々変形が可能である。その他、各部の具体的構成についても上記実施形態に限られるものではない。上記実施形態では、他方把持体７は、人差指と中指を用いて把持することを可能とし、しかも一方把持体６に比べて第一枢軸体２０からの距離を短く形成した。しかしながら、他方把持体７は、他の指のうち少なくとも一本の指（例えば３本の指）で支持されることを可能とし、しかも一方把持体６に比べて第一枢軸体２０からの距離が短く形成されていてもよい。
【符号の説明】
【００７０】
１…釣用プライヤ、２…把持部、３…挟持部、４…枢軸部、５…バネ体、６…一方把持体、７…他方把持体、１２…一方挟持体、２０…第一枢軸体、３３…凹湾曲領域、３４…膨出部、３６…他方挟持体、４１…凸湾曲領域、４２…指掛用凹部、４４…第二枢軸体、６３…一方枢軸体、６６…他方枢軸体、δ１…隙間、δ２…隙間
【図１】
2014045661.tif 000003
【図２】
2014045661.tif 000004
【図３】
2014045661.tif 000005
【図４】
2014045661.tif 000006
【図５】
2014045661.tif 000007
【図６】
2014045661.tif 000008
【図７】
2014045661.tif 000009
【図８】
2014045661.tif 000010
【図９】
2014045661.tif 000011
【図１０】
2014045661.tif 000012
【図１１】
2014045661.tif 000013
【図１２】
2014045661.tif 000014
【図１３】
2014045661.tif 000015
【図１４】
2014045661.tif 000016
【図１５】
2014045661.tif 000017